【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
入力装置および表示装置を有する操作端末を備え、種々の操作指示に対応して種々の動作を行い得る医用機器において、
操作者を認識するための情報を入力する入力部と、
緊急操作であることを指示入力し得る緊急指示部と、
この緊急指示部への指示入力があった際に、前記入力部への入力有無に関わらず前記種々の動作の中で、個人情報に関与しない動作を許容するよう制限を加える動作制限部と、
を有することを特徴とする医用機器。
【請求項２】
入力装置および表示装置を有する操作端末を備えた医用機器において、
前記操作端末の操作者を識別するための操作者情報に基づいて前記操作者にログインまたは画面ロックの解除を許可するための認証を行う操作者認証部と、
前記医用機器がログイン状態であるか否かを示すログイン状態情報およびログインしているカレント操作者のカレント操作者情報を照会するカレント操作者情報照会部と、
前記操作者情報および前記カレント操作者情報に基づいて前記操作者および前記カレント操作者の権限情報を照会する操作者権限情報照会部と、
前記医用機器がログイン状態である場合に予め定められた画面ロック条件を満たす事象を検知して前記医用機器を画面ロック状態に遷移させる一方、ログイン指示または画面ロックの解除指示を受けて前記医用機器を操作可能状態に遷移させる操作画面ロック部と、
前記操作者情報を取得して前記カレント操作者情報照会部から前記ログイン状態情報および前記カレント操作者情報の照会を受け、前記医用機器がログアウト状態である場合には、前記操作者情報を前記操作者認証部に与えることにより前記操作者の認証結果を取得し、認証が成功した場合に前記操作画面ロック部にログイン指示を与える一方、前記医用機器がログイン状態であり、かつ画面ロック状態である場合には、前記操作者情報および前記カレント操作者情報を前記操作者権限情報照会部に与えることにより取得した前記操作者および前記カレント操作者の権限情報を比較し、一定の条件を満たす場合には、さらに前記操作者情報を前記操作者認証部に与えることにより前記操作者の認証結果を取得し、認証が成功した場合に、前記操作画面ロック部に画面ロック解除指示を与える操作画面ロック制御部と、
を有することを特徴とする医用機器。
【請求項３】
前記操作画面ロック制御部は、前記医用機器がログイン状態であり、かつ画面ロック状態である場合には、前記操作者情報を前記操作者認証部に与えることにより前記操作者の認証結果を取得し、認証が成功した場合には、さらに前記操作者情報および前記カレント操作者情報を前記操作者権限情報照会部に与えることにより取得した前記操作者および前記カレント操作者の権限情報を比較し、一定の条件を満たす場合には、前記カレント操作者の操作画面が継続して前記表示装置に表示されるように画面制御しつつ前記操作画面ロック部に画面ロック解除指示を与える一方、前記一定の条件を満たさない場合には、新規操作画面が前記表示装置に表示されるように画面制御しつつ前記操作画面ロック部に画面ロック解除指示を与えるようにしたことを特徴とする請求項２記載の医用機器。
【請求項４】
入力装置および表示装置を有する操作端末を備えた医用機器において、
前記操作端末の操作者を識別するための操作者情報に基づいて前記操作者に画面ロックの解除を許可するための認証を行う操作者認証部と、
前記医用機器がログイン状態である場合に予め定められた画面ロック条件を満たす事象を検知して前記医用機器を画面ロック状態に遷移させる一方、画面ロックの解除指示を受けた場合に前記医用機器を操作可能状態に遷移させる操作画面ロック部と、
ログアウト指示を受けた場合に前記医用機器をログアウト状態に遷移させるログアウト実行部と、
前記入力装置からログアウト指示を取得するログアウト指示部と、
前記医用機器が画面ロック状態である場合において、前記操作者情報を取得した場合には取得した前記操作者情報を前記操作者認証部に与えることにより前記操作者の認証結果を取得し、認証が成功した場合に前記操作画面ロック部に画面ロックの解除指示を与える一方、前記ログアウト指示部からログアウト指示を取得した場合には前記ログアウト実行部にログアウト指示を与える操作画面ロック制御部と、
を有することを特徴とする医用機器。
【請求項５】
ログアウトを指示する前記操作者の操作者情報をログアウト指示者情報として取得するログアウト指示者情報取得部を設け、前記操作画面ロック制御部は、前記ログアウト指示部からログアウト指示を取得した場合に前記ログアウト指示者情報を前記操作者認証部に与えることによりログアウトを指示する前記操作者の認証結果を取得し、認証が成功した場合に前記ログアウト実行部にログアウト指示を与えるようにしたことを特徴とする請求項４記載の医用機器。
【請求項６】
前記ログアウト指示者情報を保存するためのログアウト操作者情報記憶部を設け、前記操作画面ロック制御部は、ログアウトを指示する前記操作者の認証が成功した場合に前記ログアウト指示者情報を前記ログアウト操作者情報記憶部に書き込んで記憶させるようにしたことを特徴とする請求項５記載の医用機器。
【請求項７】
入力装置および表示装置を有する操作端末を備えた医用機器において、
前記操作端末の操作者を識別するための操作者情報に基づいて前記操作者にログインまたは画面ロックの解除を許可するための認証を行う操作者認証部と、
前記医用機器がログイン状態である場合に予め定められた画面ロック条件を満たす事象を検知して前記医用機器を画面ロック状態に遷移させる一方、ログイン指示または画面ロックの解除指示を受けて前記医用機器を操作可能状態に遷移させる操作画面ロック部と、
前記入力装置から前記操作者が緊急操作者である旨の緊急操作者情報を取得する緊急操作者識別部と、
前記操作者情報を取得した場合には取得した前記操作者情報を前記操作者認証部に与えることにより前記操作者の認証結果を取得し、認証が成功した場合に前記操作画面ロック部にログイン指示または画面ロックの解除指示を与える一方、前記緊急操作者識別部から緊急操作者情報を取得した場合には前記操作画面ロック部にログイン指示または画面ロックの解除指示を与える操作画面ロック制御部と、
を有することを特徴とする医用機器。
【請求項８】
前記操作者が緊急操作者か否かの認証に必要な緊急操作者認証情報を取得する緊急操作者認証情報取得部を設け、前記操作画面ロック制御部は、前記緊急操作者識別部から前記緊急操作者情報を取得した場合には緊急操作者認証情報を前記操作者認証部に与えることにより前記操作者が緊急操作者か否かの認証結果を取得し、認証が成功した場合に前記操作画面ロック部にログイン指示または画面ロックの解除指示を与えるようにしたことを特徴とする請求項７記載の医用機器。
【請求項９】
前記緊急操作者認証情報を保存するための緊急操作者認証情報記録部を設け、前記操作画面ロック制御部は、前記操作者が緊急操作者か否かの認証が成功した場合に前記緊急操作者認証情報を緊急操作者認証情報記録部に書き込んで記憶させるようにしたことを特徴とする請求項８記載の医用機器。
【請求項１０】
入力装置および表示装置を有する操作端末を備えた医用機器のセキュリティ管理方法において、
前記操作端末の操作者を識別するための操作者情報を取得し、前記医用機器がログアウト状態である場合には、前記操作者情報に基づいてログインを許可するための認証を行って認証が成功した場合に前記医用機器を操作可能状態に遷移させる一方、前記医用機器が画面ロック状態である場合には、前記操作者の権限とログインしているカレント操作者の権限とを比較し、一定の条件を満たす場合には、さらに前記操作者情報に基づいて画面ロックの解除を許可するための認証を行って認証が成功した場合に前記医用機器を操作可能状態に遷移させることを特徴とするセキュリティ管理方法。
【請求項１１】
入力装置および表示装置を有する操作端末を備えた医用機器のセキュリティ管理方法において、
前記医用機器が画面ロック状態である場合に、前記操作端末の操作者を識別するための操作者情報が前記入力装置に入力された場合には、前記操作者情報に基づいて画面ロックの解除を許可するための認証を行って認証が成功した場合に前記医用機器を操作可能状態に遷移させる一方、ログアウト指示が前記入力装置に入力された場合には、前記医用機器をログアウト状態に遷移させることを特徴とするセキュリティ管理方法。
【請求項１２】
入力装置および表示装置を有する操作端末を備えた医用機器のセキュリティ管理方法において、
前記医用機器が画面ロック状態またはログアウト状態である場合に、前記操作端末の操作者を識別するための操作者情報が前記入力装置に入力された場合には、前記操作者情報に基づいて画面ロックの解除またはログインを許可するための認証を行って認証が成功した場合に前記医用機器を操作可能状態に遷移させる一方、前記操作者が緊急操作者である旨の緊急操作者情報が前記入力装置に入力された場合には、前記医用機器を操作可能状態に遷移させることを特徴とするセキュリティ管理方法。
【手続補正２】
【補正対象書類名】明細書
【補正対象項目名】００１５
【補正方法】変更
【補正の内容】
【００１５】
本発明に係るセキュリティ管理システムは、上述の目的を達成するために、請求項１に記載したように、入力装置および表示装置を有する操作端末を備え、種々の操作指示に対応して種々の動作を行い得る医用機器において、操作者を認識するための情報を入力する入力部と、緊急操作であることを指示入力し得る緊急指示部と、この緊急指示部への指示入力があった際に、前記入力部への入力有無に関わらず前記種々の動作の中で、個人情報に関与しない動作を許容するよう制限を加える動作制限部とを有することを特徴とするものである。また、本発明に係る医用機器は、上述の目的を達成するために、請求項２に記載したように、入力装置および表示装置を有する操作端末を備えた医用機器において、前記操作端末の操作者を識別するための操作者情報に基づいて前記操作者にログインまたは画面ロックの解除を許可するための認証を行う操作者認証部と、前記医用機器がログイン状態であるか否かを示すログイン状態情報およびログインしているカレント操作者のカレント操作者情報を照会するカレント操作者情報照会部と、前記操作者情報および前記カレント操作者情報に基づいて前記操作者および前記カレント操作者の権限情報を照会する操作者権限情報照会部と、前記医用機器がログイン状態である場合に予め定められた画面ロック条件を満たす事象を検知して前記医用機器を画面ロック状態に遷移させる一方、ログイン指示または画面ロックの解除指示を受けて前記医用機器を操作可能状態に遷移させる操作画面ロック部と、前記操作者情報を取得して前記カレント操作者情報照会部から前記ログイン状態情報および前記カレント操作者情報の照会を受け、前記医用機器がログアウト状態である場合には、前記操作者情報を前記操作者認証部に与えることにより前記操作者の認証結果を取得し、認証が成功した場合に前記操作画面ロック部にログイン指示を与える一方、前記医用機器がログイン状態であり、かつ画面ロック状態である場合には、前記操作者情報および前記カレント操作者情報を前記操作者権限情報照会部に与えることにより取得した前記操作者および前記カレント操作者の権限情報を比較し、一定の条件を満たす場合には、さらに前記操作者情報を前記操作者認証部に与えることにより前記操作者の認証結果を取得し、認証が成功した場合に、前記操作画面ロック部に画面ロック解除指示を与える操作画面ロック制御部とを有することを特徴とするものである。
【手続補正３】
【補正対象書類名】明細書
【補正対象項目名】００１６
【補正方法】変更
【補正の内容】
【００１６】
また、本発明に係る医用機器は、上述の目的を達成するために、請求項４に記載したように、入力装置および表示装置を有する操作端末を備えた医用機器において、前記操作端末の操作者を識別するための操作者情報に基づいて前記操作者に画面ロックの解除を許可するための認証を行う操作者認証部と、前記医用機器がログイン状態である場合に予め定められた画面ロック条件を満たす事象を検知して前記医用機器を画面ロック状態に遷移させる一方、画面ロックの解除指示を受けた場合に前記医用機器を操作可能状態に遷移させる操作画面ロック部と、ログアウト指示を受けた場合に前記医用機器をログアウト状態に遷移させるログアウト実行部と、前記入力装置からログアウト指示を取得するログアウト指示部と、前記医用機器が画面ロック状態である場合において、前記操作者情報を取得した場合には取得した前記操作者情報を前記操作者認証部に与えることにより前記操作者の認証結果を取得し、認証が成功した場合に前記操作画面ロック部に画面ロックの解除指示を与える一方、前記ログアウト指示部からログアウト指示を取得した場合には前記ログアウト実行部にログアウト指示を与える操作画面ロック制御部とを有することを特徴とするものである。
【手続補正４】
【補正対象書類名】明細書
【補正対象項目名】００１７
【補正方法】変更
【補正の内容】
【００１７】
また、本発明に係る医用機器は、上述の目的を達成するために、請求項７に記載したように、入力装置および表示装置を有する操作端末を備えた医用機器において、前記操作端末の操作者を識別するための操作者情報に基づいて前記操作者にログインまたは画面ロックの解除を許可するための認証を行う操作者認証部と、前記医用機器がログイン状態である場合に予め定められた画面ロック条件を満たす事象を検知して前記医用機器を画面ロック状態に遷移させる一方、ログイン指示または画面ロックの解除指示を受けて前記医用機器を操作可能状態に遷移させる操作画面ロック部と、前記入力装置から前記操作者が緊急操作者である旨の緊急操作者情報を取得する緊急操作者識別部と、前記操作者情報を取得した場合には取得した前記操作者情報を前記操作者認証部に与えることにより前記操作者の認証結果を取得し、認証が成功した場合に前記操作画面ロック部にログイン指示または画面ロックの解除指示を与える一方、前記緊急操作者識別部から緊急操作者情報を取得した場合には前記操作画面ロック部にログイン指示または画面ロックの解除指示を与える操作画面ロック制御部とを有することを特徴とするものである。
【手続補正５】
【補正対象書類名】明細書
【補正対象項目名】００１８
【補正方法】変更
【補正の内容】
【００１８】
また、本発明に係るセキュリティ管理方法は、上述の目的を達成するために、請求項１０に記載したように、入力装置および表示装置を有する操作端末を備えた医用機器のセキュリティ管理方法において、前記操作端末の操作者を識別するための操作者情報を取得し、前記医用機器がログアウト状態である場合には、前記操作者情報に基づいてログインを許可するための認証を行って認証が成功した場合に前記医用機器を操作可能状態に遷移させる一方、前記医用機器が画面ロック状態である場合には、前記操作者の権限とログインしているカレント操作者の権限とを比較し、一定の条件を満たす場合には、さらに前記操作者情報に基づいて画面ロックの解除を許可するための認証を行って認証が成功した場合に前記医用機器を操作可能状態に遷移させることを特徴とするものである。
【手続補正６】
【補正対象書類名】明細書
【補正対象項目名】００１９
【補正方法】変更
【補正の内容】
【００１９】
また、本発明に係るセキュリティ管理方法は、上述の目的を達成するために、請求項１１に記載したように、入力装置および表示装置を有する操作端末を備えた医用機器のセキュリティ管理方法において、前記医用機器が画面ロック状態である場合に、前記操作端末の操作者を識別するための操作者情報が前記入力装置に入力された場合には、前記操作者情報に基づいて画面ロックの解除を許可するための認証を行って認証が成功した場合に前記医用機器を操作可能状態に遷移させる一方、ログアウト指示が前記入力装置に入力された場合には、前記医用機器をログアウト状態に遷移させることを特徴とするものである。
【手続補正７】
【補正対象書類名】明細書
【補正対象項目名】００２０
【補正方法】変更
【補正の内容】
【００２０】
また、本発明に係るセキュリティ管理方法は、上述の目的を達成するために、請求項１２に記載したように、入力装置および表示装置を有する操作端末を備えた医用機器のセキュリティ管理方法において、前記医用機器が画面ロック状態またはログアウト状態である場合に、前記操作端末の操作者を識別するための操作者情報が前記入力装置に入力された場合には、前記操作者情報に基づいて画面ロックの解除またはログインを許可するための認証を行って認証が成功した場合に前記医用機器を操作可能状態に遷移させる一方、前記操作者が緊急操作者である旨の緊急操作者情報が前記入力装置に入力された場合には、前記医用機器を操作可能状態に遷移させることを特徴とするものである。